(57)【要約】【課題】従来、携帯電話機にコマンドを送信してその動作条件の設定を変更するには、コマンド毎に電話をかける必要がある。【解決手段】携帯端末は、パスワード、制御コマンド、および該コマンドに対応して該端末を所定の動作条件に設定するデータとを保持するメモリを備える。また該端末は、受信パスワードと保持するパスワードとを照合するパスワード照合手段と、受信コマンドと保持するコマンドとを照合するコマンド照合手段と、携帯端末を制御する制御手段を備える。利用者は、この携帯端末に該端末の複数の動作条件に対応する複数のコマンドを送信し、制御手段は該複数動作を実行させるデータを端末に設定する。例えば送信コマンドは数字であり、コマンド間に＃を挿入する。【選択図】      図１
2005278120.tif 000002
【特許請求の範囲】
【請求項１】
携帯端末であって、
複数のコマンド、および各コマンドに対応し該端末を所定の動作条件に設定するデータとを保持するメモリと、
受信コマンドと前記保持するコマンドとを照合するコマンド照合手段と、
携帯端末を制御する制御手段を備え、
該制御手段は保持するコマンドと同一のコマンドが受信されると対応する前記データをメモリに設定することを特徴とする携帯端末。
【請求項２】
前記制御手段は受信された複数のコマンドにしたがって複数種類の前記データをメモリに設定する請求項１記載の携帯端末。
【請求項３】
前記携帯端末は前記メモリ中の設定データに基づいて動作する請求項１または２記載の携帯端末。
【請求項４】
受信パスワードと保持するパスワードとを照合するパスワード照合手段を備え、前記メモリは所定のパスワードを備えることを特徴とする請求項１ないし３のうちの１に記載の携帯端末。
【請求項５】
携帯端末に対してパスワードおよびコマンドを送信して該携帯端末を制御する携帯端末の制御方法であって、前記コマンドは該携帯端末の複数の動作条件に対応する複数のコマンドを含むことを特徴とする携帯端末の制御方法。
【請求項６】
前記コマンドに基づき前記携帯端末にその動作条件のデータが設定される請求項５記載の携帯端末の制御方法。
【請求項７】
前記コマンドに基づき携帯端末に設定されているデータを更新する請求項５記載の携帯端末の制御方法。
【請求項８】
前記送信する各コマンドの間にはコマンドと異なる種類の記号または文字を挿入する請求項５ないし７のうちの１に記載の携帯端末の制御方法。
【請求項９】
１つのコマンドは所定の項目のコマンドと該項目内の細目のコマンドを含む請求項５ないし８のうちの１に記載の携帯端末の制御方法。
【請求項１０】
前記項目のコマンドとその細目のコマンドは同種の文字または記号である請求項９記載の携帯端末の制御方法。
【請求項１１】
コマンドは数字でありコマンド間には＃を配置する請求項５記載の携帯端末の制御方法。
【発明の詳細な説明】
【技術分野】
【０００１】
本発明は、携帯電話機、ＰＨＳ等の携帯端末に関し、特に外部から該携帯端末へコマンドを送信することにより、各種の端末設定の変更を行うことのできる携帯端末とその制御方法に関する。
【背景技術】
【０００２】
携帯電話機が紛失したり盗難にあった場合、その携帯電話機に所定のコマンドなどを送信して、携帯電話機の設定を変更する方式が近年多く提案されている。例えば、特許文献１は、携帯電話機が紛失した場合、他の通信機器から遠隔操作により所定の対策モードに設定する技術を開示している。また、特許文献２は、携帯電話機に照合用パスワードと特定のコマンドを送信しデータ情報漏洩防止処理を実行せしめる技術を開示している。
【０００３】
【特許文献１】特開２００３−２０９６１２号公報（第２−３頁、図１、図２）
【特許文献２】特開２００３−０４７０６５号公報（第２−３頁、図１、図２）
【発明の開示】
【発明が解決しようとする課題】
【０００４】
しかし、従来の特許文献では、送信する制御コマンドに基づき実行される携帯電話機の動作は、例えば音量を１ｄＢ増加または減少させ、携帯電話機を通信不能にし、あるいはデータ消去するなどの単一の動作に限定されていた。
【課題を解決するための手段】
【０００５】
本発明は上記課題を解決するものであり、携帯端末に対する遠隔制御を行う際、１回の送信で携帯電話機に対する複数種類の制御を可能にすることを目的とする。
【０００６】
上記目的を達成する本発明の携帯端末は、複数のコマンドと各コマンドに対応し該端末を所定の動作条件に設定するデータとを保持するメモリと、受信コマンドと前記保持するコマンドとを照合するコマンド照合手段と、携帯端末を制御する制御手段を備え、該制御手段は保持するコマンドと同一のコマンドが受信されると対応する上記データをメモリに設定する。制御手段は受信された複数のコマンドにしたがって複数種類の上記データをメモリに設定することができる。また携帯端末はメモリ中の設定データに基づいて動作することができる。またメモリはパスワード格納することができ、上記携帯端末は受信パスワードと保持するパスワードとを照合するパスワード照合手段を備えることができる。
【０００７】
本発明の携帯端末の制御方法は、携帯端末に対してパスワードおよびコマンドを送信して該携帯端末を制御する携帯端末の制御方法であって、コマンドは該携帯端末の複数の動作条件に対応する複数のコマンドを含む。このコマンドに基づき携帯端末にその動作条件のデータが設定され得る。コマンドに基づき携帯端末に設定されているデータが更新され得る。送信する各コマンドの間にはコマンドと異なる種類の記号または文字を挿入することができる。１つのコマンドは所定の項目のコマンドと該項目内の細目のコマンドを含む。この項目のコマンドとその細目のコマンドは同種の文字または記号である。コマンドは数字でありコマンド間には＃を配置することができる。
【発明の効果】
【０００８】
本発明では、複数のコマンドを１回で送信することを可能とし、複数項目の端末設定データを携帯端末に設定することができるので、複数のコマンドを送信するたびに電話をかけなおす必要がなくなる。
【発明を実施するための最良の形態】
【０００９】
図１は、本発明の携帯端末として携帯電話機の実施例を示す。携帯電話機１は、アンテナ２、制御手段（ＣＰＵ）３、および入力手段（キーボタン）４を備える。さらに該携帯電話機１は、携帯端末設定手段５、記憶手段（メモリ）６、パスワード照合手段７、およびコマンド照合手段８を備える。記憶手段（メモリ）６は、端末パスワード１１、端末実装コマンド１２、および端末設定データ１３を格納している。また制御手段（ＣＰＵ）３は上記携帯端末設定手段５、パスワード照合手段７、コマンド照合手段８のうちの１以上の機能を備えることができる。
【００１０】
制御手段３は、アンテナ２を介して着信したデータをパスワード照合手段に送信する。該制御手段３は、携帯電話機全体を制御する。入力手段４は、携帯端末設定手段５を用いて端末設定データ１３を設定するための手段であり、キーボタンのような入力手段である。携帯端末設定手段５は、端末実装コマンド１２にしたがって、記憶手段６が保持する携帯端末設定データ１３を設定、変更する。パスワード照合手段７は、着信データ中に照合用パスワードが存在するか否かを確認する機能と、着信したパスワードと記憶手段６が保持する端末パスワード１１とを照合する機能を備えている。コマンド照合手段８は、パスワードに引き続いて送信される送信コマンドの有無の確認する機能と、該送信コマンドと記憶手段６中の端末実装コマンド１２とを照合する機能を備える。
【００１１】
本実施例において、端末実装コマンド１２は、携帯電話機を動作せしめるコマンドであって、数字、アルファベット、記号、または＃、＊などの特殊文字などによって定義され、区分される。同種のコマンドは基本的に同種の数字又は文字である。コマンドは縦列的に複数のコマンドをつなげて形成することができる。各コマンドの間には、該コマンドとは異種の数字、文字、記号（例えば＃）などが挿入される。１つのコマンドは、それぞれ上位下位のハイアラーキーを有することができる（例えば、所定項目選定コマンドと該項目内の細目としての具体的動作条件データの設定コマンド）。
【００１２】
図２は、本発明の携帯端末における制御方法の実施例のフローである。制御手段３は、アンテナ２を通じて外部からの着信があった場合、回線接続を実施する（ステップ１）。次に制御手段３は、電話番号などに続くデータをパスワード照合手段７に送信し、パスワードの有無を確認させる（ステップ２）。着信データ中にパスワードがない場合、通常着信として処理される。パスワード照合手段７が、着信データにパスワードが含まれていると判断すると、次にパスワード照合手段７は、着信パスワードと記憶手段６に保持されている端末パスワードとを照合する（ステップ３）。着信パスワードが記憶手段６内の端末パスワード１１とが合致しない場合は通常着信として処理される。
【００１３】
着信パスワードと端末パスワード１１が合致した場合、制御手段３は着信データをコマンド照合手段８に送信し、コマンドの有無を判定させる（ステップ４）。着信データ中に制御コマンドがない場合、通常着信として処理される。コマンド照合手段８が着信データが制御コマンドを含むと判断すると、コマンド制御手段８は着信したコマンドと記憶手段６中の端末実装コマンド１２とを照合する（ステップ５）。着信コマンドが該端末実装コマンド１２と合致しない場合は通常着信として処理される。着信コマンドが端末実装コマンド１２に合致した場合、制御手段３は、携帯端末設定手段５に端末実装コマンド１２を実行せしめる。この携帯端末設定手段５は、コマンドに対応する携帯端末設定データ１３を携帯電話機１に設定し、または設定済みの該データを更新する（ステップ６）。この後、制御手段３は回線を切断する。
【００１４】
図３は、携帯端末の制御コマンドの例として、着信音設定変更コマンドを示す。着信音設定対象項目は２つあり、着信音種類Ａと着信音音量Ｂである。また、着信音種類Ａに関する設定の細目として、着信音Ａ１、着信音Ａ２、着信音Ａ３のコマンドである。同様に着信音音量Ｂに関する設定の細目として、レベルＢ１、レベルＢ２、レベルＢ３のコマンドである。携帯端末設定手段５は照合の結果、合致したコマンドを実行する。具体例として、携帯端末設定手段５は着信音種類Ａの設定モード選択のためのコマンドとして数字の「１」を入力し、次に着信音種類Ａの設定対象選択のためのコマンドとして数字の「１」、「２」、あるいは「３」のいずれかを入力する。これによって、それぞれ着信音Ａ１、着信音Ａ２、着信音Ａ３のデータが選択設定される。同様に、携帯端末設定手段５は着信音音量Ｂの設定モード選択のためのコマンドとして数字の「２」を入力し、次に着信音音量Ｂの設定対象選択のためのコマンドとして数字の「１」、「２」、あるいは「３」のいずれかを入力する。これによって、それぞれレベルＢ１、レベルＢ２、レベルＢ３のデー
タが選択設定される。
【００１５】
利用者は、他の携帯電話機やパーソナルコンピュータなどを通じて、携帯電話機１に対して電話をかける。利用者は、その際に電話番号に続けて、照合用パスワードと着信音設定コマンドを連続して入力する。携帯電話機１では、パスワード照合手段７での照合結果が一致した場合、着信音設定コマンドに基づき、携帯端末設定手段５が記憶手段６に格納されている携帯端末設定データ１３を更新する。例えば、着信音設定コマンドとして、「１３」が入力されると、携帯電話機１の端末設定データ１３の着信音種類Ａが着信音Ａ３に設定される。設定後、制御手段３は、この携帯電話機１をこの記憶手段６中の端末設定データに従って動作させる。
【００１６】
複数種類のコマンドを送信する例を説明する。利用者は、他の携帯電話機やパーソナルコンピュータなどを通じて携帯電話機１に対して電話をかける場合、例えば着信音設定コマンドを複数分、連続して入力することができる。具体例として、異なる項目のコマンド同士の区切りとして「＃」が用いられる。例えば着信音設定コマンドとして「１２＃２３」を入力した場合、図３に従い、携帯電話機１内では、端末設定データ１３の着信音種類Ａが着信音Ａ２に、着信音音量ＢをレベルＢ３に設定される。このように、複数のコマンドを連続して送信することによって、複数の項目の端末設定データを携帯電話機１に設定することができる。このため複数のコマンドを送信するたびに電話をかけなおす必要がなくなる。
【図面の簡単な説明】
【００１７】
【図１】本発明の携帯端末の構成例を示すブロック図。
【図２】本発明の携帯端末の制御方法を示すフローチャート。
【図３】本発明に用いられるコマンドの例を示す図。
【符号の説明】
【００１８】
３  制御手段
５  携帯端末設定手段
６  記憶手段
７  パスワード照合手段
８  コマンド照合手段
【図１】
2005278120.tif 000003
【図２】
2005278120.tif 000004
【図３】
2005278120.tif 000005